(57)【要約】      （修正有）【課題】必要敷地面積を小規模にでき、多くの御霊を納骨収納出来る礼拝堂型納骨堂施設を提供する。【解決手段】建物正面玄関部は礼拝堂とし、後部は納骨堂本体の納骨施設とする。正面玄関部の中央奥には観音様等の御本尊様７を鎮座した配置とし、その正面両側には階段状雛段等を設け、階段状雛段に位牌を配列する。【選択図】図１
2015151851.tif 000002
【特許請求の範囲】
【請求項１】
日本に於ける最近の墓地不足事情はかなり厳しく、今後益々その傾向が大きくなると考えられる、その要因の一つには６０代後半年齢層が８００万人と言われ更に墓地供給が同意等書を条件に許認可が難しく、土地供給も少なく、墓地開発担当業者の存続が危ぶまれ、永代管理業務が継続せず不安感を与える傾向が多く見られる、又購入時価格も高く、墓地面積も小さくなり、和らぎあるセカンドステージが必要且つ最小限度規模に留まり、墓地本来の安らぎが損なわれているのが現状であり、又管理業務が継続されない場合は深刻である、最近離婚率が増加して、その上既婚女性は夫と一緒に墓に入るのが嫌だと言う方が６０％以上いる現状から、礼拝堂型納骨堂を開発した、礼拝堂型納骨堂には御霊である本開発位牌を祀り、多くの納骨が収納出来る施設構造とし、求める方々の経済的負担を少なく、安らげる礼拝堂型納骨堂施設を構築し提供することを特許請求の範囲とする。
【請求項２】
礼拝堂型納骨堂は計画敷地面積の２／３は礼拝堂型納骨堂とした配置で、、残り１／３は地下に防火槽、浄化槽を埋込んだ築山庭園と駐車場して、建物正面玄関部は礼拝堂とし、後部は納骨堂本体の納骨施設とする、正面玄関部の中央奥には花檀中央上段に観音様等の御本尊様を鎮座した配置とし、御本尊様は座禅姿，又は立ち姿にて構築し、その正面両側には階段状雛段、半円型階段状雛段、コの字型階段状雛段を設けた配置構築とし、階段状雛壇一番下段には花壇を両側に配置し、通路を設けその上段からは階段状雛段に本開発位牌を一段に１列０，５ｃｍの間隔を置き配列する、本開発位牌は、タテ、ヨコ一定の枠組みに区切り、通路を下段から上段迄平面的に一定間隔に配置した構築構造を特許請求の範囲とする。
【請求項３】
礼拝堂正面両側の階段状雛段は幅１０ｃｍ、高さ２０ｃｍとし、礼拝堂施設床面の広さに応じ、床面位置から天上高さの２／３迄鉄筋コンクリート、又は鉄骨材で構築し、玄関入口中仕切り迄両側を延ばした構築構造とする、又正面玄関入口上部には２階部床盤を設け、その床盤から階段状雛段を設けた構造で、両側階段状雛段と同じ高さ迄枠組みを構築し、全体的には段違いコの字型配置とし、階段状雛段は赤いじゅうたんを敷き本開発位牌を枠組みに配置した構築構造を特許の請求範囲とする。
【請求項４】
礼拝堂内御本尊様正面の膝下には中央花壇を設け、玄関迄の中程には、テーブル式祭壇を置き参拝者が多数同時参拝出来る配置とし、祭壇から一定空間を空け、入口側には椅子を必要数数並べた配置空間を確保して、入口扉（防火、防犯兼用扉）とした配置構築構造を特許の請求範囲とする。
【請求項５】
礼拝堂型納骨堂の建物前半分は天上を高くした礼拝堂エリアとし、後面半分は納骨堂本体施設を複数階構築して、各フローアには納骨収納ケースを設置した構造とし、階段状雛段下部右側は管理事務所、空調、電気、設備を設け、建物奥迄２，５ｍの通路を確保し、突き当たりには地上階、（又は地下階）への階段を取付け各階に通じる通路とした構築構造を特許請求の範囲とする。
【請求項６】
納骨堂本体内部は断面的に、鉄筋コンクリート、又は鉄骨造りの複数階のフローアを設けた構築構造とし、各階には階段とエレベーターで通じさせ、各階フローアの窓上面全体にガラス窓と換気窓を設け、明かりのとれる構築構造とする、各階フローアにはコの字型に一定幅の通路を設け、各フローア中間部には複数列最低幅１ｍの通路を設け、納骨収納ケースを１ｍ横移動することにより納骨ボクスに納骨の収納、出し入れが出来る構造とし、納骨ケースの横移動は各フローアに設置した軌条上を納骨ケースが左右移動出来る構造で、地震時の納骨ケースの転倒と移動防止を講じた構築構造を特許の請求範囲とする。
【請求項７】
本開発位牌は生前の写真、戒名（俗名）命日をアクリルガラスにインプットした形式とし、更に電子通信により反応する装置を備えた位牌とし、参拝者がお参り時カード番号を入力、又は管理者に申し出た時、納骨堂本体の納骨ボックスも確認が出来、位牌もリモコンにより通信させ、参拝者は位牌の位置確認の出来る構築構造を特許の請求範囲とする。
【請求項８】
礼拝堂型納骨堂全体施設敷地が狭く又傾斜地等の場合には礼拝堂型納骨堂本体施設全域の地下利用をして、地下駐車場とミニ墓石付き納骨ボクス形式を構築することを特許請求の範囲とする、地下室部は換気換気扇を数か所に設置し、明かりは反射鏡の組み合わせで、地下室に明かりを取る構築構造とする、地上部は計画階数迄納骨堂本体のフローアを構築する、地下部フローアの、ミニ墓石付き納骨ボクスは（縦、横、高さ４０ｃｍ以下とし、その上に石造り位牌を（３０ｃｍ以下）乗座した形状で背中合わせの配列幅とし、高さ１ｍで３段重ねのコンクリート又は鉄骨造りの納骨枠組みとした構造で通路は１ｍ確保し、平面的に順次配列した構築構造を特許の請求範囲とする、
【発明の詳細な説明】
【技術の分野】
【０００１】  在来までの納骨堂は墓地の片隅に一部設置されお参りにおいでになる方も少なく、もの寂しく感じられる方々が多く見られておりましたが、墓地不足から納骨堂もいっぱいで、各市町村も最近は三年から五年待ちでも納骨を受け付けてもらいず、断られる市町村が多い現状でありますが、納骨方式をハード面とソフト面で技術研究不足と考えられる点が多いので施設構築等のハード面と心理的現代人のソフト面から今回両面を考え経済的で要求を満たすことの出来る礼拝堂型納骨堂を開発した。
【背景技術】
【０００２】  技術的背景には固定型納骨堂と移動式型納骨堂があるが移動式型の場合建設費も高く、将来機械設備維持、修繕費用、管理費等の経費が更に発生するので、経済的でなく購入時も高価である、本発明は固定型と固定型と移動型の中間型を開発した、中間型の納骨堂本体の納骨方式は納骨ボクスを複数段背中合わせにした幅１ｍ×横３，７ｍ×高さ２ｍの納骨ボクスを一化した半移動型で地震時倒壊停止出来装置を備えた構造で、各ケースは人力横移動で１ｍのスペースが確保出来、各納骨収容ボクス内の納骨の出し入れが容易に出来、多くの収納が可能となる、尚安全管理上からも管理人の案内なく入り勝手な行動を防止でき安全である、納骨堂の各フローアに入るには礼拝堂型納骨堂玄関を入り管理事務所を通じ、各階に通じる階段、エレベーターにて各階フローアに行き、納骨各ケース番号に管理人が差し込むカードにより納骨が出来るシステム構築構造とした。【０００３】  礼拝堂型納骨堂施設全体内部は奥に納骨堂本体を構築し、隔壁を置いて礼拝堂エリアの中央奥に観音様等の御本尊を中央花壇上部に鎮座配置し、御本尊様から両側に床から階段状雛段を設け、階段状雛段１段目は花壇を両側に御本尊様足中央壇まで配置し、階段状雛壇２段目から本開発位牌を、天上迄距離２／３の高さ迄配列配置し、リモコンにより位置確認が出来る構築構造構とした。
【発明の開示】
【発明が解決しようとする課題】
【０００４】  本発明は日本に於ける、６０代後半の段階世代人口８００万人いるといわれる方々がこの世を去る場合に落ち着き場所を求めたいが、墓地が無く、周辺住民からの同意が難しいため、許可権を持つ行政との協議が困難になり、墓地の計画地が遠く、墓地価格の関係からも墓地面積が小さくなり、今後益々墓地が不足するとゆう課題がある。管理上に於いては事業管理者の倒産等による荒廃等による墓地あらし等の課題がある、最近特に離婚が多く、又夫のお墓へ入りたくない女性が６０％以上に急増しているが墓地が無く。経済的面の負担が大きく、更に今後の若い世代の意識変化からお墓参りをする人が少なく。維持管理が難しい等の課題が沢山ある。
【課題を解決する手段】
【０００５】  課題を解決する手段として礼拝堂型納骨堂を開発発明した、本発明により、計画必要敷地面積も少なく、又傾斜地等でも本計画は可能性が高く、周辺住民の同意も得やすく、多くの御霊を納骨収納出来、各行政との協議も早期化出来、毎日何方かがお参りに訪れて、寂しさの感じない、あんど安心感の持てる礼拝堂型納骨堂施設を求める方々に低価格で提供することにより解決する手段とする。
【発明の実施形態】
【０００６】  礼拝堂施設構築物は天上を高く屋根部を支える柱は出来るだけ少なくし、ドーム型の構造、タワー型構造、寺院型構造とし、屋根上部は太陽光発電システム構造とする、建屋半分は複数階の納骨堂本体施設として多くの御霊（納骨）を収納できる構築構造とした、その屋根屋上部は庭園（緑地部）とした構築で中木、低木芝生を植えこみ水辺を設けた構築とする、駐車場は礼拝堂地下部に多段式に設け、侵入道路は５ｍ幅とする、駐車場スペースを使用する場合は立体駐車場として、その屋上部屋根は太陽光発電システム又は緑地庭園とする、玄関入口側面には手洗い場、トイレ、ゴミ置場を設けた全体構築構造形態とする、礼拝堂内部は正面奥に御本尊様を配置し、御本尊様両側の階段状雛段及び玄関入れ口２階部には本発明位牌を階段状雛段に枠組み配置し、祭壇は長いテーブル式で多くの方がお参り出来る配置とし、管理事務所は入口右側の階段状雛壇下部を使用する、その他空間は電気設備、空調設備、物置とし、左側階段状雛段下部は談話室、法事等の出来る部屋とし、納骨堂本体への出入りは玄関入口から両側の通路を使用し、体の不自由の方は玄関を入って左側奥エレベーターで各階に通じさせ又地下駐車場へは階段もしくは専用エレベーターで通じさせる実施形態とする。
【発明の効果】
【０００７】  東京直下型地震、東南海沖地震、津波、富士山火山爆発が何時起きても不思議でない現況にある、東日本大地震時墓地は流され、高台の墓地は倒壊しており、復旧には高額な費用を要し、また家系を継ぐ方が亡くなり、荒れ放題の現状である、世代の変化を考えて墓地のあり方について見直す時期と考える方々が非常に多く６０代後半の方々が全人口の３割り近くに達し、これからの墓地不足の現状は益々大きくなる状況から、多くの方々が負担費用を少なく様々の時代背景による変化により、生前から安心感を持てる施設提供を多くの方が希望される、又供給側の立場から考えると、許認可が取り易く、敷地面積が小規模で多くの霊体を祀ることが出来、要望する方は低価格で求められ、本発明による今後の効果は大きく期待が持てる施設構築構造と考えられる
【図面の簡単な説明】
【０００８】
【図１】  礼拝堂型納骨堂の構築構造平面図
【図２】  礼拝堂型納骨堂の構築構造側面図
【図３】  礼拝堂型納骨堂の構築構造正面図（内部）
【符号の説明】
【０００９】    １、納骨ケース
２、エレベーター（庭園及び納骨堂各階用）
３、土間
４、軌条
５、トイレ
６、エレベーター（地下駐車場用）
７、御本尊様
８、中央花壇
９、位牌枠組み
１０、両側花壇枠（鉢植え花壇）
１１、ゴミ置場
１２、中央部階段状雛段位牌枠組み
１３、防火水槽（築山庭園地下部４０ｔ）
１４、浄化槽（築山庭園下部）
１５、駐車場スペース
１６、緑地部（納骨堂屋根屋上庭園）
１７、太陽光発電システム屋根
１８、侵入道路（地下駐車場への道路）
１９、礼拝堂型納骨堂入口玄関部屋根
２０、フェンス
２１、門柱（角柱型２，５ｍ）
２２、長テーブル祭壇
２３、生花槽
２４、通路５０ｃｍ幅
２５、管理事務所
２６、通路（突き当たり階段）
２７、談話室、（休憩室、法事等の場所）
２８、通路（突き当たりエレベーター）
２９、緑地
【図１】
2015151851.tif 000003
【図２】
2015151851.tif 000004
【図３】
2015151851.tif 000005